(57)【特許請求の範囲】
【請求項１】
塗布軸の先端の塗布ヘッドに、マスカラ液を塗布する塗布体と、マスカラ液が塗布されたまつ毛を梳き整えるコーム体とを設けてなるマスカラ塗布具において、柔軟性を有するエラストマから構成されてなる塗布ヘッドを形成する平坦な押圧面を備えた塗布体及びコーム体を、背中合わせに配置するとともに、塗布体の先端部に、先端側を細く、先端にＲを付した２等辺３角形形状に形成し、静電植毛法によりパイルが固定された１つのへら状突起体を一体に設け、塗布体を第１の嵌着部を介してコーム体に嵌着し、コーム体を第２の嵌着部を介して塗布軸に嵌着するようにしたことを特徴とするマスカラ塗布具。
【請求項２】
塗布軸の先端の塗布ヘッドに、マスカラ液を塗布する塗布体と、マスカラ液が塗布されたまつ毛を梳き整えるコーム体とを設けてなるマスカラ塗布具において、柔軟性を有するエラストマから構成されてなる塗布ヘッドを形成する平坦な押圧面を備えた塗布体及びコーム体を、背中合わせに配置するとともに、塗布体の先端部に、先端側を細く、先端にＲを付した２等辺３角形形状に形成し、静電植毛法によりパイルが固定された１つのへら状突起体を一体に設け、塗布体及びコーム体を一体成形して構成し、塗布ヘッドを嵌着部を介して塗布軸に嵌着するようにしたことを特徴とするマスカラ塗布具。
【請求項３】
塗布体に静電植毛法によりパイルが固定されてなることを特徴とする請求項１又は２に記載のマスカラ塗布具。
【発明の詳細な説明】
【技術分野】
【０００１】
本発明は、マスカラ塗布具に関し、特に、マスカラ液をまつ毛に塗布する塗布体と、まつ毛に塗布されたマスカラ液を梳き整えるコーム体とを備えているマスカラ塗布具に関するものである。
【背景技術】
【０００２】
従来、マスカラ塗布具として、マスカラ液をまつ毛に塗布する塗布体と、まつ毛に塗布されたマスカラ液を梳き整えるコーム体とを備えたものが提案されている（例えば、特許文献１〜２参照。）。
【０００３】
このうち、特許文献１に記載されたものは、ブラシ棒の先端に塗布用ブラシ（塗布体）と整え用ブラシ（コーム体）を背中合わせ状に設けて、マスカラブラシを構成している。塗布用ブラシは、一方向へ捻られた芯線でブリッスルを螺旋状に固定して構成してあり、整え用ブラシと背中合わせになる側のブリッスルが除去してある。整え用ブラシは、上下両端のボス部と、ボス部同士を繋ぐコーム枠と、コーム枠の外面に突出する一群のコームとを一体に備えている。上下両端のボス部には、それぞれブラシ支持穴が形成してあり、これらのブラシ支持穴で、塗布用ブラシの芯線の上下を支持することにより、塗布用ブラシと整え用ブラシが背中合わせ状に一体化してある。コーム枠に設けた一群のコームは、コーム枠の長手方向に沿って直線列状に２列形成してある。なお、芯線の中心からブリッスルの先端までの半径と、芯線の中心からコームの先端までの半径とは等しく設定してある。
【０００４】
また、特許文献２に記載されたものは、プラスチック製のブラシ台と、ブラシ台に装着される螺旋状のブラシ（塗布体）と、ブラシ台の周面一側に固定されるコーム体とでマスカラブラシを構成している。ブラシ台には、ブラシの芯線の上下両端を支持する基端ボスと先端ボスが設けてあり、さらに、両ボス同士を橋絡するコーム枠と補強枠とが設けてある。ブラシの芯線に固定されたブリッスルは、コーム枠と補強枠の周面間に開口するブリッスル窓から露出している。コーム体は独立部品として形成してあり、ブラシ台に設けたコーム枠の外面に固定してある。
【先行技術文献】
【特許文献】
【０００５】
【特許文献１】特開２００４−３２９９４６号公報
【特許文献２】特開２００７−０５０１８３号公報
【発明の概要】
【発明が解決しようとする課題】
【０００６】
ところで、上記従来のマスカラ塗布具は、塗布体がブラシからなるため、まつ毛に適度の押圧力を加えて、好ましい状態、例えば、立てた状態にまつ毛に癖を付ける操作や、目尻にマスカラ液を塗布する等の細かい操作が行いにくいという問題があった。
【０００７】
本発明は、上記従来のマスカラ塗布具の有する問題点に鑑み、まつ毛に適度の押圧力を加えて、好ましい状態、例えば、立てた状態にまつ毛に癖を付ける操作や、目尻にマスカラ液を塗布する等の細かい操作を行うことを可能にしたマスカラ塗布具を提供することを目的とする。
【課題を解決するための手段】
【０００８】
上記目的を達成するため、本発明のマスカラ塗布具は、塗布軸の先端の塗布ヘッドに、マスカラ液を塗布する塗布体と、マスカラ液が塗布されたまつ毛を梳き整えるコーム体とを設けてなるマスカラ塗布具において、塗布体及びコーム体が、柔軟性を有するエラストマから構成されてなるとともに、塗布体の先端部に先端を細く形成し、静電植毛法によりパイルが固定されたへら状突起体を一体に設けたことを特徴とする。
【０００９】
この場合において、塗布体が平坦な押圧面を備えてなるようにすることができる。
【００１０】
また、塗布体に静電植毛法によりパイルが固定されてなるようにすることができる。
【発明の効果】
【００１１】
本発明のマスカラ塗布具によれば、塗布体及びコーム体が、柔軟性を有するエラストマから構成されてなることから、マスカラ液の塗布操作において、まつ毛や皮膚に刺激や痛みを与えることがなく、特に、塗布体によって、まつ毛に適度の押圧力を加えて、好ましい状態、例えば、立てた状態にまつ毛に癖を付ける操作を容易に行うことができる。
また、塗布体の先端部に先端を細く形成し、静電植毛法によりパイルが固定されたへら状突起体を一体に設けたことから、このへら状突起体に適量のマスカラ液を含ませることができ、目尻にマスカラ液を塗布する等の細かい操作を容易に行うことができる。
【００１２】
また、塗布体が平坦な押圧面を備えてなるようにすることにより、塗布体によって、容易にまつ毛に適度の押圧力を加えることができる。
【００１３】
また、塗布体に静電植毛法によりパイルが固定されてなるようにすることにより、塗布体に、適量のマスカラ液を含ませることができ、マスカラ液の塗布操作を確実に行うことができる。
【図面の簡単な説明】
【００１４】
【図１】本発明のマスカラ塗布具の第１実施例を示す説明図である。
【図２】本発明のマスカラ塗布具の第２実施例を示す説明図である。
【発明を実施するための形態】
【００１５】
以下、本発明のマスカラ塗布具の実施の形態を、図面に基づいて説明する。
【実施例１】
【００１６】
図１に、本発明のマスカラ塗布具の第１実施例を示す。
このマスカラ塗布具は、塗布軸１の先端の塗布ヘッド２に、マスカラ液を塗布する塗布体３と、マスカラ液が塗布されたまつ毛を梳き整えるコーム体４とを設けるようにしたものであって、塗布体３及びコーム体４が、柔軟性を有するエラストマから構成されてなるとともに、塗布体３の先端部に先端を細く形成し、静電植毛法によりパイル５１が固定されたへら状突起体５を一体に設けるようにしている。
【００１７】
本実施例において、塗布ヘッド２を形成する塗布体３及びコーム体４は、塗布体３とコーム体４とを別部材で構成し、コーム体４側に塗布軸１に嵌着するための嵌着部２１を形成するとともに、コーム体４に塗布体３を嵌着部３２、４２を介して嵌着するようにしている。
【００１８】
この場合において、塗布体３及びコーム体４を構成する柔軟性を有するエラストマには、天然ゴムや合成ゴム、ウレタンゴム、シリコーンゴム、フッ素ゴム等の熱硬化性樹脂系エラストマ、スチレン系、オレフィン系、塩ビ系、ウレタン系、アミド系等の熱可塑性樹脂系エラストマから選ばれた材料を用いることができる。
このように、塗布体３及びコーム体４を、柔軟性を有するエラストマから構成することにより、マスカラ液の塗布操作において、まつ毛や皮膚に刺激や痛みを与えることがなく、特に、塗布体３によって、まつ毛に適度の押圧力を加えて、好ましい状態、例えば、立てた状態にまつ毛に癖を付ける操作を容易に行うことができる。
【００１９】
塗布体３の先端部に一体に設けるようにしたへら状突起体５は、先端を細く形成した略２等辺３角形形状に形成し（この場合、先端にはＲを付すようにする。）、表面に静電植毛法によりパイル５１を密植、固定するようにする。
このように、塗布体３の先端部に先端を細く形成し、静電植毛法によりパイル５１が固定されたへら状突起体５を一体に設けることにより、このへら状突起体５に適量のマスカラ液を含ませることができ、目尻にマスカラ液を塗布する等の細かい操作を容易に行うことができる。
【００２０】
塗布体３は、平坦な押圧面３０を備えるようにしている。
このように、塗布体３に平坦な押圧面３０を備えることにより、塗布体３によって、容易にまつ毛に適度の押圧力を加えることができる。
【００２１】
塗布体３の表面には、必要に応じて、へら状突起体５と同様に、静電植毛法によりパイル５１を密植、固定することができる。
このように、塗布体３の表面に静電植毛法によりパイル５１を固定することにより、塗布体３に、適量のマスカラ液を含ませることができ、マスカラ液の塗布操作を確実に行うことができる。
【００２２】
マスカラ液が塗布されたまつ毛を梳き整えるコーム体４は、千鳥状に形成した複数列の小突起４１を備えて構成するようにしている。
このように、コーム体４に千鳥状に形成した複数列の小突起４１を備えることにより、複数列の小突起４１によって、容易にまつ毛を梳き整えることができる。
【実施例２】
【００２３】
図２に、本発明のマスカラ塗布具の第２実施例を示す。
このマスカラ塗布具は、塗布軸１の先端の塗布ヘッド２に、マスカラ液を塗布する塗布体３と、マスカラ液が塗布されたまつ毛を梳き整えるコーム体４とを設けるようにしたものであって、塗布体３及びコーム体４が、柔軟性を有するエラストマから構成されてなるとともに、塗布体３の先端部に先端を細く形成し、静電植毛法によりパイル５１が固定されたへら状突起体５を一体に設けるようにしている。
【００２４】
本実施例において、塗布ヘッド２を形成する塗布体３及びコーム体４は、塗布体３とコーム体４とを一体成形して構成し、塗布軸１に嵌着するための嵌着部２１を形成するようにしている。
【００２５】
本実施例のその他の構成及び作用は、第１実施例のマスカラ塗布具と同様である。
【００２６】
以上、本発明のマスカラ塗布具について、複数の実施例に基づいて説明したが、本発明は上記実施例に記載した構成に限定されるものではなく、その趣旨を逸脱しない範囲において適宜その構成を変更することができるものである。
【産業上の利用可能性】
【００２７】
本発明のマスカラ塗布具は、まつ毛に適度の押圧力を加えて、好ましい状態、例えば、立てた状態にまつ毛に癖を付ける操作や、目尻にマスカラ液を塗布する等の細かい操作を行うことが可能なことから、マスカラ塗布具の用途に好適に用いることができる。
【符号の説明】
【００２８】
１  塗布軸
２  塗布ヘッド
２１  嵌着部
３  塗布体
３０  押圧面
３１  パイル
３２  嵌着部
４  コーム体
４１  小突起
４２  嵌着部
５  へら状突起体
５１  パイル
【図１】
0006789623.tif 000002
【図２】
0006789623.tif 000003